(57)【特許請求の範囲】
【請求項１】
電子機器に電池を収容するための構造であって、
前記電子機器の筐体に形成された中空部である電池収容部と、
前記電池収容部の一側面に設けられた開口部であって、前記電池収容部に対する電池の出し入れを行うための開口部と、
前記開口部を開閉するために、前記筐体に着脱自在に設けられた蓋部とを備え、
前記電池収容部は、相互に直列に接続された複数の一次電池を収容可能であると共に、当該複数の一次電池の非収容時には少なくとも１本の二次電池を収容可能であり、
前記相互に直列に接続された複数の一次電池の内、いずれか１本の一次電池については、当該一次電池の全体が前記筐体の外部に露出し、他の一次電池については、前記露出状とされた一次電池に対して隣接して接続された一次電池の一部であって、前記露出状とされた一次電池との接続側の一部のみが前記筐体の外部に露出するように、前記開口部を形成し、
前記電池収容部は、前記相互に直列に接続された複数の一次電池を、複数並設して収容可能であり、
前記電池収容部の底面には、前記複数並設された一次電池の相互間に対応する位置であって、前記二次電池の配置領域以外の位置に、前記一次電池に沿ったガイド突起を設け、
前記ガイド突起を、前記二次電池を挟持可能な複数位置に設けた、
電子機器の電池収容構造。
【請求項２】
前記露出状とされた一次電池に対して隣接して接続された一次電池の略半分以下の部分が前記筐体の外部に露出するように、前記開口部を形成した、
請求項１に記載の電子機器の電池収容構造。
【発明の詳細な説明】
【技術分野】
【０００１】
本発明は、電子機器の電池収容構造に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震が発生した時の緊急放送を行う際、センター装置は告知放送信号を伝送線路を介して送信し、この告知放送信号を受信機が受信して、告知放送をスピーカにて音声出力する（例えば、特許文献１参照）。
【０００３】
このような受信機は、商用電力によって動作するものであるが、災害によって商用電力が停電した場合にも緊急放送が可能となるように、電池による動作も可能なように構成されている。具体的には、受信機の筐体に電池を収容するための電池収容部を設け、この電池収容部の開口部を蓋部にて開閉自在としていた。そして、商用電力の停電時には、この電池収容部に収容した電池によって供給される電力により、受信機を駆動していた。また、電池交換時には、利用者等が蓋部を取り外し、電池収容部に対する電池交換を行うことが可能となっていた。
【先行技術文献】
【特許文献】
【０００４】
【特許文献１】特開平９−８７５３号公報
【発明の概要】
【発明が解決しようとする課題】
【０００５】
ここで、電池をその性質に基づいて分類すると、充電不能の一次電池（例えば、マンガン電池やアルカリ電池）と、充電可能な二次電池（例えば、ニッカド電池、ニッケル水素電池、あるいはリチウム水素電池）に大別できるが、従来の受信機に対してこれら一次電池と二次電池のいずれを使用するのかは利用者のニーズ等によって決定されるため、いずれの電池も使用可能となるような共通の構造で、電池収容部を構成しておくことが好ましい。
【０００６】
しかしながら、これら一次電池と二次電池では通常は電圧が異なるため、電圧が比較的低い一次電圧は複数を直列接続して使用するのに対して、電圧が比較的高い二次電池は単体で使用される等、一次電池と二次電池では電池収容部に収容すべき電池本数が異なる。また、これら一次電池と二次電池は、外形が相互に異なる。これらのことから、電池収容部の形状を、単に収容スペースが大きくなる方の電池（例えば一次電池を複数収容する場合には、当該複数の一次電池）に適合させた場合には、収容スペースが小さくなる方の電池（例えば二次電池）を安定的に固定することができなくなる等、一次電池と二次電池をいずれも使用可能とするように電池収容部を構成した場合には、これら一次電池や二次電池を安定的に収容することが実際には困難であった。
【０００７】
本発明は、上記に鑑みてなされたものであって、一次電池と二次電池をいずれも使用することが可能なものであって、特にこれら一次電池や二次電池を安定的に収容することができる、電子機器の電池収容構造を提供することを目的とする。
【課題を解決するための手段】
【０００８】
上述した課題を解決し、目的を達成するために、請求項１に記載の電子機器の電池収容構造は、電子機器に電池を収容するための構造であって、前記電子機器の筐体に形成された中空部である電池収容部と、前記電池収容部の一側面に設けられた開口部であって、前記電池収容部に対する電池の出し入れを行うための開口部と、前記開口部を開閉するために、前記筐体に着脱自在に設けられた蓋部とを備え、前記電池収容部は、相互に直列に接続された複数の一次電池を収容可能であると共に、当該複数の一次電池の非収容時には少なくとも１本の二次電池を収容可能であり、前記相互に直列に接続された複数の一次電池の内、いずれか１本の一次電池については、当該一次電池の全体が前記筐体の外部に露出し、他の一次電池については、前記露出状とされた一次電池に対して隣接して接続された一次電池の一部であって、前記露出状とされた一次電池との接続側の一部のみが前記筐体の外部に露出するように、前記開口部を形成し、前記電池収容部は、前記相互に直列に接続された複数の一次電池を、複数並設して収容可能であり、前記電池収容部の底面には、前記複数並設された一次電池の相互間に対応する位置であって、前記二次電池の配置領域以外の位置に、前記一次電池に沿ったガイド突起を設け、前記ガイド突起を、前記二次電池を挟持可能な複数位置に設けた。
【０００９】
また、請求項２に記載の電子機器の電池収容構造は、請求項１に記載の電子機器の電池収容構造において、前記露出状とされた一次電池に対して隣接して接続された一次電池の略半分以下の部分が前記筐体の外部に露出するように、前記開口部を形成した。
【発明の効果】
【００１２】
請求項１に記載の電子機器の電池収容構造によれば、一次電池と二次電池をいずれも使用することが可能な電池収容構造において、複数の一次電池を直列接続した場合に、これら一次電池が特に相互の接続箇所を中心に開口部に向けて浮き上がろうとする場合であっても、一部の一次電池に対しては筐体が当接し、この筐体によって当該一次電池の浮き上がりを抑えることができるので、一次電池を安定的に収容することができる。また、このように筐体で抑えられる一次電池についてもその一部は露出状としているので、この一次電池を完全に非露出状とした場合に比べて、一次電池の出し入れが容易である。
また、複数並設して収容された一次電池をガイド突起によって相互に仕切ることができるので、一次電池を一層安定的に収容することが可能となる。
また、二次電池をガイド突起によって挟持できるので、二次電池を一層安定的に収容することが可能となる。
【００１３】
請求項２に記載の電子機器の電池収容構造によれば、全体を露出状とされた一次電池に対して隣接して接続された一次電池の露出部分の割合を、当該一次電池の略半分以下となるように設定したので、この一次電池の浮き上がりを確実に抑えることができる。
【図面の簡単な説明】
【００１６】
【図１】設置壁に固定された受信機を示す斜視図である。
【図２】受信機を示す図であり、（ａ）は正面図、（ｂ）は背面図、（ｃ）は底面図である。
【図３】固定板を示す図であり、（ａ）は正面図、（ｂ）は右側面図、（ｃ）は（ａ）のＡ−Ａ矢視断面図、（ｄ）は底面図、（ｅ）は（ａ）のＢ−Ｂ矢視断面図、（ｆ）は背面図である。
【図４】受信機を固定板と共に示す図であり、（ａ）は背面図、（ｂ）は右側面図、（ｃ）は平面図である。
【図５】電池収容部の拡大図であり、（ａ）は電池カバーの装着時の斜視図、（ｂ）は電池カバーの取り外し時の分解斜視図である。
【図６】電池カバーの取り外し時における、一次電池の収容状態を示す電池収容部の拡大正面図である。
【図７】図６のＡ−Ａ矢視断面図である。
【図８】電池カバーの取り外し時における、二次電池の収容状態を示す電池収容部の拡大正面図である。
【発明を実施するための形態】
【００１７】
以下に添付図面を参照して、この発明に係る電子機器の電池収容構造の実施の形態を詳細に説明する。最初に電子機器の全体構成を説明し、次に固定板を用いた電子機器の電池収容構造を説明し、最後に本実施の形態に対する変形例について説明する。ただし、この実施の形態によって本発明が限定されるものではない。なお、この実施の形態では、電子機器として、告知放送システムのセンター装置から送信された告知放送信号を住戸内で受信して告知放送出力を行う受信機を挙げて説明する。
【００１８】
（構成−受信機）
最初に、受信機の基本構成について説明する。図１は設置壁Ｗに固定された受信機を示す斜視図である。図２は、受信機を示す図であり、（ａ）は正面図、（ｂ）は背面図、（ｃ）は底面図である。これら図１及び図２（ａ）〜（ｃ）に示すように、受信機１は、筐体３の内部に図示しない各種の電子部品等を収容して構成されている。この筐体３は、正面カバー３ａと背面カバー３ｂとを組み合わされて構成されている。正面カバー３ａと背面カバー３ｂの接続方法は任意であるが、例えば、正面カバー３ａと背面カバー３ｂは嵌合やネジ留めにて接続することができる。
【００１９】
この筐体３の正面には、操作部４及び表示部５が設けられている。操作部４としては、具体的には、受信機１に録音された告知放送の再生を指示するための告知再生スイッチ４ａ、後述するアンテナ１７から受信したＦＭラジオ放送等の再生を指示するためのラジオ再生スイッチ４ｂ、及び放送音量を調節するためのボリュームスイッチ４ｃが設けられている。表示部５としては、具体的には、電源ＯＮ時に点灯する電源表示灯５ａ、緊急放送時に点灯又は点滅する緊急放送表示灯５ｂ、及び一般放送時に点灯又は点滅する一般放送表示灯５ｃが設けられている。また、筐体３の正面には、筐体３の内部に設けた図示しないスピーカから出力された音を、当該筐体３の外部に放出するための音響孔６が設けられている。
【００２０】
また、図２（ｂ）に示すように、筐体３の背面において、この受信機１に対しては、告知放送信号を受信機１に入力するための同軸ケーブル１０が接続される。この同軸ケーブル１０は、筐体３の上側に形成された収容空間部７にコネクタ部分が収容されると共に、筐体３の右側に形成された収容空間部８にケーブル部分が収容されることで、筐体３の外部に突出することが防止されている。また、筐体３の背面において、受信機１に対しては、商用電源からの電力を受信機１に供給するための電源コード１１が接続される。この電源コード１１は、筐体３の左下側に形成された収容空間部９にコネクタ部分及びケーブル部分が収容されることで、筐体３の外部に突出することが防止されている。
【００２１】
また、図２（ｂ）に示すように、筐体３の背面において、受信機１に対しては、各種の移報用の信号を出力するための移報用ケーブル１３が接続される。この移報用ケーブル１３は、筐体３の左上側に形成された収容空間部１４にコネクタ部分が収容されている。また、移報用ケーブル１３のケーブル部分は、筐体３の上下中央付近に筐体３の幅方向に沿って形成されたガイド部１５を通って、収容空間部８に収容されている。このような構造により、移報用ケーブル１３が筐体３の外部に突出することが防止されている。なお、これら同軸ケーブル１０、電源コード１１、及び移報用ケーブル１３は、図２（ｂ）以外では図示を省略する。
【００２２】
ガイド部１５は、小径部１５ａ、中径部１５ｂ、及び大径部１５ｃを有する。小径部１５ａは、筐体３の図示左側に設けられたものであって、少なくとも移報用ケーブル１３を挿通可能な径で形成された開口である。中径部１５ｂは、筐体３の図示右側に設けられたものであって、少なくとも同軸ケーブル１０を挿通可能な径で形成された開口である。大径部１５ｃは、小径部１５ａと中径部１５ｂとの相互間に設けられたものであって、中径部１５ｂよりも大きな径を有する開口である。このようなガイド部１５を設けたことで、筐体３の図示右側と図示左側との間で、各種の配線を取り回すことが可能になる。ここでは、上述したように、移報用ケーブル１３をガイド部１５を介して収容空間部８へ取り回している。また、このようなガイド部１５を設けたことで、筐体３の図示右側から中央にかけて、あるいは図示左側から中央にかけて、各種の配線を取り回し、大径部１５ｃから筐体３の外部に引き出すことが可能となる。例えば、移報用ケーブル１３を小径部１５ａ及び大径部１５ｃを介して筐体３の外部に引き出すことができ、又は同軸ケーブル１０を中径部１５ｂ及び大径部１５ｃを介して筐体３の外部に引き出すことができる。なお、ガイド部１５は、移報用ケーブル１３又は同軸ケーブル１０を収容するだけでなく、電源コード１１も収容できるようにしてもよい。この場合には、ガイド部１５は、収容空間部９と連通させて構成する。
【００２３】
また、図２（ａ）、（ｂ）に示すように、筐体３の左側面には、ＦＭラジオ等の電波を受信するためのアンテナ１７が設けられている。従って、告知放送がセンター装置から受信できない状況であっても、アンテナ１７にてＦＭラジオ等を受信することができる。
【００２４】
また、図２（ｂ）、（ｃ）に示すように、筐体３の背面には複数の係止穴１ａ、１ｂが形成されており、筐体３の底面には複数の係止穴１ｃ、１ｄが形成されている。これら係止穴１ａ〜１ｄは、後述する固定板２０の係止突起２４を係脱自在に係止するための貫通穴である。係止穴１ａ、１ｂは、筐体３の重心位置を中心として、上下に対称となる複数箇所に方形状に形成されている。係止穴１ｃ、１ｄは、筐体３の左右中央位置を中心として、左右対称となる複数箇所に方形状に形成されている。
【００２５】
また、図２（ａ）に示すように、筐体３には、電池を収容するための空間部である電池収容部３０と、この電池収容部３０を開閉自在に覆う電池カバー４０が設けられている。このように電池カバー４０を筐体３の正面に設けることで、電池カバー４０の着脱や電池交換を容易に行うことができる。これら電池収容部３０及び電池カバー４０の詳細については後述する。
【００２６】
（構成−固定板）
次に、このように構成された受信機１を固定するための固定板２０について説明する。図３は固定板２０を示す図であり、（ａ）は正面図（受信機１に対向する側を正面とする）、（ｂ）は右側面図、（ｃ）は（ａ）のＡ−Ａ矢視断面図、（ｄ）は底面図、（ｅ）は（ａ）のＢ−Ｂ矢視断面図、（ｆ）は背面図である。図４は、受信機１を固定板と共に示す図であり、（ａ）は背面図、（ｂ）は右側面図、（ｃ）は平面図である。固定板２０は、樹脂材にて形成された略板状体であり、受信機１と設置面の間に介在され、受信機１を設置面に固定するものである。
【００２７】
この固定板２０は、開口部２１、上下一対のネジ孔２２、２３、複数の係止突起２４、及び溝部２５を備えて構成されている。
【００２８】
開口部２１は、受信機１に接続した移報用ケーブル１３又は同軸ケーブル１０を、受信機１のガイド部１５の大径部１５ｃを介して固定板２０の外部に引き出すための開口であり、図３（ａ）、（ｃ）、（ｆ）に示すように、固定板２０の上下左右のほぼ中央付近に設けられている。この開口部２１は、ガイド部１５の大径部１５ｃとほぼ同じ形状（略長方形状）で形成されており、ガイド部１５の大径部１５ｃに対応する位置に配置されている。このような構造とすることで、受信機１を設置壁Ｗに固定する際には、移報用ケーブル１３又は同軸ケーブル１０を、筐体３の外部に突出させることなく開口部２１を介して設置壁Ｗの内部に引き込むことができる。
【００２９】
上下一対のネジ孔２２、２３は、受信機１を設置壁Ｗに固定する際に、当該壁面にねじ込まれた図示しない取り付けネジを係止させるためのものである。上方のネジ孔２２は、ダルマ形状の孔部であり、図示しない取り付けネジの頭部を挿通可能な径の大径部２２ａと、この大径部２２ａに対して上方に設けられたものであって図示しない取り付けネジの頭部は挿通不能であるが図示しない取り付けネジの本体部を挿通可能な径の小径部２２ｂとを、相互に連通させて構成されている。下方のネジ孔２３は、図示しない取り付けネジの頭部は挿通不能であるが図示しない取り付けネジの本体部を挿通可能な径にて形成されたもので、固定板２０の幅方向に沿って長い長孔状として形成されている。
【００３０】
複数の係止突起２４は、固定板２０の正面に設けられたもので、図３（ａ）、（ｃ）〜（ｅ）に示すように、受信機１を設置壁Ｗに固定する際に、受信機１の背面の係止穴１ａ、１ｂに係脱自在に係止され、あるいは、受信機１を固定板２０に直立させた状態で固定する際に、受信機１の底面の係止穴１ｃ、１ｄに係脱自在に係止されることによって、固定板２０に対して受信機１を着脱自在に取り付けるものである。
【００３１】
これら複数の係止突起２４は、固定板２０と同様の樹脂材にて形成された略板状体であり、固定板２０の係止穴１ａ、１ｂに対応する位置及び形状（側面略Ｌ字形状）で、固定板２０から受信機１に向けて突出するように形成されており、固定板２０の長さ方向に沿って並設されている。また、この複数の係止突起２４は、受信機１を設置壁Ｗに固定する際に、固定板２０の側面に沿った係止突起２４の側部を上方に向けて突出させるように配置されている。この固定板２０の側面に沿った係止突起２４の側部と固定板２０との隙間の大きさは任意であるが、係止突起２４と係止穴１ａ〜１ｄとの係止力を強固にするために、例えば、受信機１の筐体３の板厚の大きさに対応させることが好ましい。この複数の係止突起２４と固定板２０との接続方法は任意であるが、例えば、複数の係止突起２４と固定板２０とを樹脂成型にて相互一体に形成される方法がある。ただし、このような接続方法に限らず、複数の係止突起２４と固定板２０とを接着剤等にて固着する方法がある。ただし、樹脂成型にて形成することで、固定板２０の製造が容易になり、固定板２０の製造コストを低減できる。
【００３２】
溝部２５は、固定板２０の正面に設けられたもので、受信機１を固定板２０に対して直立させた状態で固定する際に、受信機１を固定板２０に対して嵌合させるものである。すなわち、上述した複数の係止突起２４は、溝部２５における、受信機１の底面の係止穴１ｃ、１ｄに対応する位置に配置されており、受信機１を溝部２５に配置することで、係止穴１ｃ、１ｄに係止突起２４を係止させることが可能となる。また、溝部２５は、受信機１の底面とほぼ同じ形状（略長方形状）で設けられており、この溝部２５に受信機１の底面を配置することで、この底部を溝部２５に嵌合させることができる。
【００３３】
（電池収容構造の詳細）
次に、このように構成された受信機１に対して電池を収容するための電池収容構造の細部について説明する。ここでは、前提として、複数の一次電池５０〜５３又は１本の二次電池６０を選択的に収容するものとする。すなわち、共通の収容構造により、複数の一次電池５０〜５３を収容可能とし、あるいは複数の一次電池５０〜５３の非収容時には１本の二次電池６０を収容可能とする。複数の一次電池５０〜５３は、その中の少なくとも２本が相互に直列に接続されるものとする。ここでは、計４本の一次電池５０〜５３を収容するものとしており、その配置形態としては、２本の一次電池５０、５１と２本の一次電池５２、５３とをそれぞれ直列接続し、これを２列を並設するものとする。なお、以下の説明では、これら一次電池５０〜５３と二次電池６０を相互に区別する必要がない場合には、これらを単に「電池」と総称する。
【００３４】
図５は、電池収容部３０の拡大図であり、（ａ）は電池カバー４０の装着時の斜視図、（ｂ）は電池カバー４０の取り外し時の分解斜視図である。図６は、電池カバー４０の取り外し時における、一次電池５０〜５３の収容状態を示す電池収容部３０の拡大正面図、図７は、図６のＡ−Ａ矢視断面図、図８は、電池カバー４０の取り外し時における、二次電池６０の収容状態を示す電池収容部３０の拡大正面図である。電池収容部３０は、筐体３の内部に形成された中空空間であり、筐体３と一体に樹脂成型されている。ここでは、図６に示すように、電池収容部３０の長さをＬ、電池収容部３０の幅をＷとする。
【００３５】
（電池収容構造の詳細−一次電池との関係性）
最初に、電池収容部３０と一次電池５０〜５３との関係性について説明する。図６に示すように、電池収容部３０は、概念的に、第１の一次電池収容領域３１と第２の一次電池収容領域３２を備える。第１の一次電池収容領域３１は、一次電池５０〜５３の一部を収容する領域（ここでは、並設された２本の一次電池５０、５２を収容するための領域）であって、一次電池５０〜５３の長さをＬ１、幅（直径）をＷ１とすると、長さＬ１及び幅Ｗ（＞Ｗ１×２）にて形成されている。第２の一次電池収容領域３２は、一次電池５０〜５３の他の一部を収容する領域（ここでは、並設された２本の一次電池５１、５３を収容するための領域）であり、長さＬ２（＝Ｌ１）及び幅Ｗ（＞Ｗ１×２）にて形成されている。従って、これら第１の一次電池収容領域３１と第２の一次電池収容領域３２に、２列×２本＝計４本の一次電池５０〜５３を収容することができる。なお、電池収容部３０の長さ方向の各端部には、一次電池５０〜５３の正極端子又は負極端子に接触する受電端子３３が配置されており、この受電端子３３が図示しない電源部に接続されることで、一次電池５０〜５３から供給された電力によって受信機１が駆動させる。
【００３６】
この電池収容部３０の正面側の側面には、開口部３４が形成されている。この開口部３４は、電池カバー４０を取り外した状態において、電池収容部３０に対する電池の出し入れを行うためのものである。ここで、開口部３４の長さＬ３及び幅Ｗは、電池の出し入れが可能となる限りにおいて任意の長さ及び幅とすることができる。ここでは、開口部３４の幅Ｗは、電池収容部３０の幅Ｗと同じに設定されており、２列の一次電池５０〜５３を容易に同時に出し入れ可能である。
【００３７】
一方、開口部３４の長さＬ３は、電池収容部３０の長さＬと同様にすることも可能であるが、ここでは、第１の一次電池収容領域３１の長さＬ１より長く、かつ、電池収容部３０の長さＬより短い長さに設定されている。このため、第１の一次電池収容領域３１に収容された２本の一次電池５０、５２（すなわち、直列に接続された複数の一次電池５０、５１の内、１本の一次電池５０と、直列に接続された複数の一次電池５２、５３の内、１本の一次電池５２）については、その全体が開口部３４を介して筐体３の外部に露出し、第２の一次電池収容領域３２に収容された２本の一次電池５１、５３（すなわち、直列に接続された複数の一次電池５０、５１の内、他の１本の一次電池５１と、直列に接続された複数の一次電池５２、５３の内、他の１本の一次電池５３）については、全体が露出状とされた一次電池５０、５２に対して隣接して接続された当該一次電池５１、５３の一部であって、全体が露出状とされた一次電池５０、５２との接続側の一部のみ（図６における長さＬ２と長さＬ３の重複領域に対応する部分のみ）が筐体３の外部に露出する。
【００３８】
このため、複数の一次電池５０〜５３を直列接続した場合に、これら一次電池５０〜５３が特に相互の接続箇所を中心に開口部３４に向けて浮き上がろうとする場合であっても、図７に示すように、第２の一次電池収容領域３２に収容された一次電池５１、５３に対して筐体３が当接するため、この筐体３によって一次電池５１、５３の浮き上がりを抑えることができ、ひいては一次電池５０〜５３の浮き上がりを抑えることができる。
【００３９】
その一方、図６に示すように、第２の一次電池収容領域３２に収容された２本の一次電池５１、５３の端部が開口部３４を介して外部に露出しているので、第１の一次電池収容領域３１の一次電池５０、５２が取り外されている状態において、一次電池５１、５３の端部を介して当該一次電池５１、５３を第１の一次電池収容領域３１にスライドさせること等ができ、この一次電池５１、５３を完全に非露出状とした場合に比べて、一次電池５１、５３の出し入れが容易である。
【００４０】
このように第２の一次電池収容領域３２に収容された一次電池５１、５３の一部のみを筐体３の外部に露出させる場合、当該一次電池５１、５３における露出部分の割合は、当該一次電池５１、５３の略半分以下となるように設定することが好ましい。これは、一次電池５１、５３の略半分を超える部分を露出させた場合には、この一次電池５１、５３の浮き上がりを抑えることが困難になるためである。例えば、図６に示したように、一次電池５１、５３の約４分の１を露出させることが好ましい。
【００４１】
（電池収容構造の詳細−二次電池との関係性）
次に、電池収容部３０と二次電池６０との関係性について説明する。図８に示すように、電池収容部３０は、概念的に、二次電池収容領域３５を備える。二次電池収容領域３５は、二次電池６０を収容する領域（ここでは、１本の二次電池６０を収容するための領域）であって、二次電池６０の長さをＬ４、幅をＷ２とすると、長さＬ４及び幅Ｗ２にて形成されている。従って、１本の二次電池６０を二次電池収容領域３５に収容することができる。特に、開口部３４の長さＬ３を、二次電池６０の長さＬ４より大きく設定し、開口部３４の幅Ｗを、二次電池６０の幅Ｗ２より大きく設定しているので、二次電池６０を二次電池収容領域３５に容易に出し入れ可能である。
【００４２】
なお、二次電池６０の同一側面に設けられた正極端子及び負極端子に対しては受電端子３６が着脱自在に接続されており、この受電端子３６は、第２の一次電池収容領域３２を介して引き出された電源コード３７を介して図示しない電源部に接続されることで、二次電池６０から供給された電力によって受信機１が駆動させる。これら受電端子３６及び電源コード３７と、図６に示した一次電池５０〜５３の接続用の受電端子３３とは、常時両方を設けておくことで、一次電池５０〜５３と二次電池６０のいずれか一方を選択的に使用できるようにしてもよいが、特定の受信機１に対して一次電池５０〜５３又は二次電池６０のいずれか一方のみが使用されることが当該受信機１の工場出荷時に決まっている場合には、当該使用される方の電池に応じて、受電端子３６及び電源コード３７、又は受電端子３３のいずれか一方のみを設けて他方は省略してもよい。
【００４３】
（電池収容構造の詳細−ガイド突起）
次に、ガイド突起３８、３９について説明する。図８に示すように、電池収容部３０には、２本のガイド突起３８、３９が設けられている。これらガイド突起３８、３９は、電池収容部３０の底面から正面側に突出するように一体に形成された板状部材であり、電池収容の安定化を図るものである。一方のガイド突起３８は、第１の一次電池収容領域３１であって、かつ二次電池収容領域３５に配置されている。また、他方のガイド突起３９は、第２の一次電池収容領域３２であって、かつ二次電池収容領域３５に配置されている。これらガイド突起３８、３９は、図６に示すように、並設された２本の一次電池５０〜５３の相互間に介在する位置において、これら一次電池５０〜５３の長手方向に沿う方向で配置されており、これらガイド突起３８、３９によって２本の一次電池５０〜５３が相互に仕切られることで、電池収容の安定化が図られている。
【００４４】
ここで、ガイド突起３８、３９を、第１の一次電池収容領域３１や第２の一次電池収容領域３２の全域に渡る長さに設けることもできるが、ここでは、ガイド突起３８、３９の相互間には、ガイド突起３８、３９が介在しない領域が設けられている。このようにガイド突起３８、３９が存在しない領域の長さは、図８に示すように、二次電池６０の長さＬ４にほぼ等しくなるように設定されている。つまり、ガイド突起３８の長さをＬ５、ガイド突起３９の長さをＬ６とすると、Ｌ４＝Ｌ−Ｌ５−Ｌ６となっている。このため、二次電池収容領域３５に二次電池６０を収容した状態においては、この二次電池６０の長さ方向の両端部がガイド突起３８、３９によって挟持され、電池収容の安定化が図られている。なお、ここで、二次電池６０を挟持するとは、必ずしも二次電池６０にガイド突起３８、３９が直接的に当接する場合に限定されず、図８に示すように、二次電池６０に接続した受電端子３６を介して二次電池６０をガイド突起３８、３９にて挟持する場合のように、二次電池６０の長さ方向の移動又は幅方向の移動を実質的に拘束し得る構造であることを意図する。
【００４５】
（電池収容構造の詳細−電池カバー）
図５の電池カバー４０は、電池収容部３０を開閉自在に覆う蓋部であり、開口部３４とほぼ同じ長さ及び幅にて形成されている。この電池カバー４０は、その下縁に設けられた図示しない突起を開口部３４の下縁近傍に設けられた図示しない挿入穴に挿入させつつ、その上縁に設けられた突起４１を開口部３４の上縁近傍に設けられた挿入穴３４ａに係脱自在に係止させることで、電池収容部３０に着脱自在に取り付けられる。
【００４６】
（効果）
このように本実施の形態によれば、一次電池５０〜５３と二次電池６０をいずれも使用することが可能な電池収容構造において、複数の一次電池５０〜５３を直列接続した場合に、これら一次電池５０〜５３が特に相互の接続箇所を中心に開口部３４に向けて浮き上がろうとする場合であっても、全体を露出状とされた一次電池５０、５２に対して隣接して接続された一次電池５１、５３に筐体３が当接し、この筐体３によって当該一次電池５１、５３の浮き上がりを抑えることができるので、一次電池５０〜５３を安定的に収容することができる。また、全体が露出状とされた一次電池５０、５２に対して隣接して接続された一次電池５１、５３の一部を露出状としているので、この一次電池５１、５３を完全に非露出状とした場合に比べて、一次電池５１、５３の出し入れが容易である。
【００４７】
また、全体を露出状とされた一次電池５０、５２に対して隣接して接続された一次電池５１、５３の露出部分の割合を、当該一次電池５１、５３の略半分以下となるように設定したので、この一次電池５１、５３の浮き上がりを確実に抑えることができる。
【００４８】
また、複数並設して収容された一次電池５０〜５３をガイド突起によって相互に仕切ることができるので、一次電池５０〜５３を一層安定的に収容することが可能となる。
【００４９】
また、二次電池６０をガイド突起３８、３９によって挟持できるので、二次電池６０を一層安定的に収容することが可能となる。
【００５０】
〔本実施の形態に対する変形例〕
以上、本発明の本実施の形態について説明したが、本発明の具体的な構成及び手段は、特許請求の範囲に記載した各発明の技術的思想の範囲内において、任意に改変及び改良することができる。以下、このような変形例について説明する。
【００５１】
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５２】
（電池の種類、収容数、収容配置について）
電池収容部の収容対象となる電池の種類、収容数、収容配置については、特記した場合を除いて任意であり、例えば、二次電池６０を複数収納したり、また、６本以上の一次電池を３列以上で並設してもよい。
【符号の説明】
【００５３】
１  受信機
１ａ、１ｂ、１ｃ、１ｄ  係止穴
３  筐体
３ａ  正面カバー
３ｂ  背面カバー
４  操作部
４ａ  告知再生スイッチ
４ｂ  ラジオ再生スイッチ
４ｃ  ボリュームスイッチ
５  表示部
５ａ  電源表示灯
５ｂ  緊急放送表示灯
５ｃ  一般放送表示灯
６  音響孔
７〜９、１４  収容空間部
１０  同軸ケーブル
１１  電源コード
１３  移報用ケーブル
１５  ガイド部
１５ａ、２２ｂ  小径部
１５ｂ  中径部
１５ｃ、２２ａ  大径部
１７  アンテナ
２０  固定板
２１  開口部
２２、２３  ネジ孔
２４  係止突起
２５  溝部
３０  電池収容部
３１  第１の一次電池収容領域
３２  第２の一次電池収容領域
３３、３６  受電端子
３４  開口部
３４ａ  挿入穴
３５  二次電池収容領域
３７  電源コード
３８、３９  ガイド突起
４０  電池カバー
４１  突起
５０〜５３  一次電池
６０  二次電池
Ｗ  設置壁
【図１】
0005443841.tif 000002
【図２】
0005443841.tif 000003
【図３】
0005443841.tif 000004
【図４】
0005443841.tif 000005
【図５】
0005443841.tif 000006
【図６】
0005443841.tif 000007
【図７】
0005443841.tif 000008
【図８】
0005443841.tif 000009